【手続補正書】
【提出日】平成25年3月7日(2013.3.7)
【手続補正１】
【補正対象書類名】特許請求の範囲
【補正対象項目名】全文
【補正方法】変更
【補正の内容】
【特許請求の範囲】
【請求項１】
画像データを圧縮符号化する画像処理装置であって、
画像データを所定サイズの画素ブロックであるタイル画像データを単位に入力する入力手段と、
入力されたタイル画像データを可逆符号化し可逆符号化データを生成する第１の符号化手段と、
所定の最大圧縮率に対応する第１閾値以下の量子化ステップに従った量子化処理を介在させることで、入力されたタイル画像データを非可逆符号化し非可逆符号化データを生成する第２の符号化手段と、
着目タイル画像データに対する前記第１の符号化手段で生成された可逆符号化データと、前記着目タイル画像データに対する前記第２の符号化手段で生成された非可逆符号化データとを比較し、何れのデータ量が少ないかを判定する第１判定手段と、
前記可逆符号化データと前記非可逆符号化データとの何れか一方を前記着目タイル画像データの符号化データとして選択し出力する選択手段と、
前記着目タイル画像データの符号化データを選択し出力するたびに、後続するタイル画像データの符号化に備えて、前記量子化ステップを更新する更新手段と、
前記着目タイル画像データを非可逆符号化した際に設定されていた量子化ステップが、前記所定の最大圧縮率より小さい圧縮率に対応する第２閾値以下の場合には、前記着目タイル画像データに後続するタイル画像データについては、前記第１判定手段の判定結果に応じて前記第１判定手段がデータ量が少ないと判定した符号化データを選択し出力するように制御し、前記着目タイル画像データを非可逆符号化した際に設定されていた量子化ステップが、前記第２閾値より大きい場合には、前記着目タイル画像データに後続するタイル画像データについては、強制的に前記第２の符号化手段により生成された非可逆符号化データを選択し出力するように前記選択手段を制御する制御手段と、
を備えることを特徴とする画像処理装置。
【請求項２】
前記タイル画像データを所定の初期量子化ステップに基づいて前記第２の符号化手段により非可逆符号化した場合に生成される非可逆符号化データと、前記第１の符号化手段により生成された可逆符号化データとを比較し、何れのデータ量が少ないかを判定する第２判定手段を更に備え、
前記更新手段は、
前記選択手段が前記第１判定手段の判定結果に応じて前記非可逆符号化データを選択し出力した場合、前記量子化ステップを所定量だけ増加させ、
前記選択手段が前記制御手段の制御により強制的に前記非可逆符号化データを選択し、かつ、前記第２判定手段が前記非可逆符号化データのデータ量が少ないと判定したした場合、前記量子化ステップを変化させず、
前記選択手段が前記制御手段の制御により強制的に前記非可逆符号化データを選択し、かつ、前記第２判定手段が前記可逆符号化データのデータ量が少ないと判定したした場合、前記量子化ステップを前記所定量だけ減少させる、
ように前記量子化ステップを更新することを特徴とする請求項１に記載の画像処理装置。
【請求項３】
前記更新手段は、前記選択手段が前記制御手段の制御により強制的に前記非可逆符号化データを選択し、かつ、前記第２判定手段が前記非可逆符号化データのデータ量が少ないと判定した場合において、更に、
前記着目タイル画像データを非可逆符号化した際に設定されていた量子化ステップが、前記所定量だけ増加させたとき前記第１閾値以下となる場合には、前記量子化ステップを所定量だけ増加させ、
前記着目タイル画像データを非可逆符号化した際に設定されていた量子化ステップが、前記所定量だけ増加させたとき前記第１閾値より大きくなる場合には、前記量子化ステップを変化させない
ように更新することを特徴とする請求項２に記載の画像処理装置。
【請求項４】
前記着目タイル画像データに対する前記第１の符号化手段で生成された可逆符号化データのデータ量が所定の閾値データ量以下の場合に、前記着目タイル画像データはパターン画像を含む画像であると判定する画像種別判定手段を更に備え、
前記更新手段は、
前記選択手段が前記第１判定手段の判定結果に応じて前記非可逆符号化データを選択し出力し、かつ、前記画像種別判定手段が前記着目タイル画像データはパターン画像を含む画像であると判定した場合に、前記所定量を該所定量より小さい修正所定量に変更した後、前記量子化ステップを該修正所定量だけ増加させ、
前記選択手段が前記制御手段の制御により強制的に前記非可逆符号化データを選択し、かつ、前記第２判定手段が前記非可逆符号化データのデータ量が少ないと判定し、かつ、前記画像種別判定手段が前記着目タイル画像データはパターン画像を含む画像であると判定した場合に、前記量子化ステップを前記所定量だけ減少させる、
ことを特徴とする請求項２に記載の画像処理装置。
【請求項５】
前記第１の符号化手段は、ＪＰＥＧ−ＬＳ符号化により前記可逆符号化データを生成し、
前記第２の符号化手段は、ＪＰＥＧ符号化により前記非可逆符号化データを生成する
ことを特徴とする請求項１乃至４の何れか一項に記載の画像処理装置。
【請求項６】
画像データを圧縮符号化する画像処理装置の制御方法であって、
画像データを所定サイズの画素ブロックであるタイル画像データを単位に入力する入力工程と、
入力されたタイル画像データを可逆符号化し可逆符号化データを生成する第１の符号化工程と、
所定の最大圧縮率に対応する第１閾値以下の量子化ステップに従った量子化処理を介在させることで、入力されたタイル画像データを非可逆符号化し非可逆符号化データを生成する第２の符号化工程と、
着目タイル画像データに対する前記第１の符号化工程で生成された可逆符号化データと、前記着目タイル画像データに対する前記第２の符号化工程で生成された非可逆符号化データとを比較し、何れのデータ量が少ないかを判定する第１判定工程と、
前記可逆符号化データと前記非可逆符号化データとの何れか一方を前記着目タイル画像データの符号化データとして選択し出力する選択工程と、
前記着目タイル画像データの符号化データを選択し出力するたびに、後続するタイル画像データの符号化に備えて、前記量子化ステップを更新する更新工程と、
前記着目タイル画像データを非可逆符号化した際に設定されていた量子化ステップが、前記所定の最大圧縮率より小さい圧縮率に対応する第２閾値以下の場合には、前記着目タイル画像データに後続するタイル画像データについては、前記第１判定工程の判定結果に応じて前記第１判定工程においてデータ量が少ないと判定された符号化データを選択し出力するように制御し、前記着目タイル画像データを非可逆符号化した際に設定されていた量子化ステップが、前記第２閾値より大きい場合には、前記着目タイル画像データに後続するタイル画像データについては、強制的に前記第２の符号化工程により生成された非可逆符号化データを選択し出力するように前記選択工程を制御する制御工程と、
を含むことを特徴とする画像処理装置の制御方法。
【手続補正２】
【補正対象書類名】明細書
【補正対象項目名】０００６
【補正方法】変更
【補正の内容】
【０００６】
上述の１以上の問題点を解決するため、本発明の画像処理装置は以下の構成を備える。すなわち、画像データを圧縮符号化する画像処理装置において、画像データを所定サイズの画素ブロックであるタイル画像データを単位に入力する入力手段と、入力されたタイル画像データを可逆符号化し可逆符号化データを生成する第１の符号化手段と、量子化ステップに従った量子化処理を介在させることで、入力されたタイル画像データを非可逆符号化し非可逆符号化データを生成する第２の符号化手段と、着目タイル画像データに対する前記第１の符号化手段で生成された可逆符号化データと、前記着目タイル画像データに対する前記第２の符号化手段で生成された非可逆符号化データとを比較し、何れのデータ量が少ないかを判定する第１判定手段と、前記可逆符号化データと前記非可逆符号化データとの何れか一方を前記着目タイル画像データの符号化データとして選択し出力する選択手段と、前記着目タイル画像データの符号化データを選択し出力するたびに、後続するタイル画像データの符号化に備えて、前記量子化ステップを更新する更新手段と、前記着目タイル画像データを非可逆符号化した際に設定されていた量子化ステップが、前記所定の最大圧縮率より小さい圧縮率に対応する第２閾値以下の場合には、前記着目タイル画像データに後続するタイル画像データについては、前記第１判定手段の判定結果に応じて前記第１判定手段がデータ量が少ないと判定した符号化データを選択し出力するように制御し、前記着目タイル画像データを非可逆符号化した際に設定されていた量子化ステップが、前記第２閾値より大きい場合には、前記着目タイル画像データに後続するタイル画像データについては、強制的に前記第２の符号化手段により生成された非可逆符号化データを選択し出力するように前記選択手段を制御する制御手段と、を備える。